【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
符号化画面と参照画面の画面全体としてのずれ量である全体ベクトルを求める全体ベクトル検出手段と、前記全体ベクトルに基づく対応関係を参照画面にもたない符号化画面の領域を特殊領域と判定する特殊領域判定手段と、前記符号化画面内の符号化ブロックの動きベクトルを検索する動きベクトル検索手段とを備え、前記特殊領域判定手段は前記特殊領域に属する符号化ブロックに関して前記動きベクトル検索手段に検索を禁止させる制御か検索領域を縮小させる制御かの少なくともいずれかの制御を行う動画像圧縮装置。
【請求項２】
符号化画面と参照画面の画面全体としてのずれ量である全体ベクトルを求める全体ベクトル検出手段と、前記全体ベクトルに基づく対応関係を参照画面にもたない符号化画面の領域を特殊領域と判定する特殊領域判定手段と、前記符号化画面内の符号化ブロックの動きベクトルを検索する動きベクトル検索手段とを備え、前記特殊領域判定手段は前記特殊領域に属さない符号化ブロックに関して前記動きベクトル検索手段に検索領域の拡大を指示する制御を行う動画像圧縮装置。
【請求項３】
符号化画面と参照画面の画面全体としてのずれ量である全体ベクトルを求める全体ベクトル検出手段と、前記全体ベクトルに基づく対応関係を参照画面にもたない符号化画面の領域を特殊領域と判定する特殊領域判定手段と、前記符号化画面内の符号化ブロックの動きベクトルを検索する動きベクトル検索手段と、前記動きベクトル検索手段が求めた動きベクトルによる予測ブロックと符号化ブロックの差分である予測誤差の情報量を評価し評価値を求める動き補償評価手段と、前記評価値をもとに符号化ブロックの符号化方式として前記動きベクトルによる動き補償方式を用いるか他の方式を用いるかを決定する符号化方式決定手段とを備え、前記特殊領域判定手段は特殊領域に属する符号化ブロックに関して前記符号化方式決定手段に指示し、前記動き補償方式を採用する確率を下げるように前記評価値に重みを課す動画像圧縮装置。
【請求項４】
前記特殊領域判定手段は、全体ベクトルの大きさが設定された基準値以上である場合にのみ前記特殊領域として識別することを特徴とする請求項１から３のいずれかに記載の動画像圧縮装置。
【請求項５】
符号化画面と参照画面の画面全体としてのずれ量である全体ベクトルを求めるステップと、前記全体ベクトルに基づく対応関係を参照画面にもたない符号化画面の領域を特殊領域として識別するステップと、前記符号化画面内の符号化ブロックの動きベクトルを検索する動きベクトル検索ステップと、前記特殊領域に属する符号化ブロックに関して前記動きベクトル検索ステップによる検索を禁止させる制御か検索領域を縮小させる制御かの少なくともいずれかの制御を行う制御ステップとを含む動画像圧縮処理方法。
【請求項６】
符号化画面と参照画面の画面全体としてのずれ量である全体ベクトルを求めるステップと、前記全体ベクトルに基づく対応関係を参照画面にもたない符号化画面の領域を特殊領域として識別するステップと、前記符号化画面内の符号化ブロックの動きベクトルを検索する動きベクトル検索ステップと、前記特殊領域に属さない符号化ブロックに関して前記動きベクトル検索ステップの検索領域を拡大する制御ステップとを含む動画像圧縮処理方法。
【請求項７】
符号化画面と参照画面の画面全体としてのずれ量である全体ベクトルを求めるステップと、前記全体ベクトルに基づく対応関係を参照画面にもたない符号化画面の領域を特殊領域として識別するステップと、前記符号化画面内の符号化ブロックの動きベクトルを検索する動きベクトル検索ステップと、前記動きベクトル検索ステップで求めた動きベクトルによる予測ブロックと符号化ブロックの差分である予測誤差の情報量を評価し評価値を求めるステップと、前記評価値をもとに符号化ブロックの符号化方式として前記動きベクトルによる動き補償方式を用いるか他の方式を用いるかを決定する符号化方式決定ステップと、前記特殊領域に属する符号化ブロックでは、前記動き補償方式を採用する確率を下げるように前記評価値に重みを課す制御ステップとを含む動画像圧縮処理方法。
【請求項８】
前記全体ベクトルの大きさが設定された基準値以上である場合にのみ特殊領域が存在すると判断する制御ステップを含む請求項５から７のいずれかに記載の動画像圧処理方法。
【手続補正２】
【補正対象書類名】明細書
【補正対象項目名】００１３
【補正方法】変更
【補正の内容】
【００１３】
この課題を解決するために本発明の請求項１記載の動画像圧縮装置および請求項５記載の動画像圧縮処理方法は、全体ベクトルに基づく対応関係を参照画面にもたない符号化画面の領域を特殊領域と判定する特殊領域判定手段又は判定処理を備え、特殊領域に属する符号化ブロックに関して動きベクトル検索手段に検索を禁止させる制御か検索領域を縮小させる制御かの少なくともいずれかの制御を行うことを最も主要な特徴とする。
【手続補正３】
【補正対象書類名】明細書
【補正対象項目名】００１４
【補正方法】変更
【補正の内容】
【００１４】
本発明の請求項２記載の動画像圧縮装置および請求項６記載の動画像圧縮処理方法は、全体ベクトルに基づく特殊領域を判定する特殊領域判定手段又は判定処理を備え、特殊領域に属さない符号化ブロックに関して動きベクトル検索手段に検索領域の拡大を指示する制御を行うことを最も主要な特徴とする。
【手続補正４】
【補正対象書類名】明細書
【補正対象項目名】００１５
【補正方法】変更
【補正の内容】
【００１５】
本発明の請求項３記載の動画像圧縮装置および請求項７記載の動画像圧縮処理方法は、全体ベクトルに基づく特殊領域を判定する特殊領域判定手段または判定処理と、符号化ブロックの符号化方式として動きベクトルによる動き補償方式を用いるか他の方式を用いるかを決定する符号化方式決定手段または決定処理を備え、特殊領域に属する符号化ブロックに関して動き補償方式を採用する確率を下げるように重みを課すことを最も主要な特徴とする。
【手続補正５】
【補正対象書類名】明細書
【補正対象項目名】００１８
【補正方法】変更
【補正の内容】
【００１８】
本発明の請求項１に記載の発明は、符号化画面と参照画面の画面全体としてのずれ量である全体ベクトルを求める全体ベクトル検出手段と、前記全体ベクトルに基づく対応関係を参照画面にもたない符号化画面の領域を特殊領域と判定する特殊領域判定手段と、前記符号化画面内の符号化ブロックの動きベクトルを検索する動きベクトル検索手段とを備え、前記特殊領域判定手段は前記特殊領域に属する符号化ブロックに関して前記動きベクトル検索手段に検索を禁止させる制御か検索領域を縮小させる制御かの少なくともいずれかの制御を行う構成としたものであり、これにより動き補償による圧縮効率が悪い特殊領域に属する符号化ブロックに関して、その動きベクトル検索の処理量を大幅に削減するという作用を有する。
【手続補正６】
【補正対象書類名】明細書
【補正対象項目名】００１９
【補正方法】変更
【補正の内容】
【００１９】
請求項２に記載の発明は、符号化画面と参照画面の画面全体としてのずれ量である全体ベクトルを求める全体ベクトル検出手段と、前記全体ベクトルに基づく対応関係を参照画面にもたない符号化画面の領域を特殊領域と判定する特殊領域判定手段と、前記符号化画面内の符号化ブロックの動きベクトルを検索する動きベクトル検索手段とを備え、前記特殊領域判定手段は前記特殊領域に属さない符号化ブロックに関して前記動きベクトル検索手段に検索領域の拡大を指示する制御を行う構成としたものであり、これにより検索範囲を拡大して画質改善に効果がある領域のみ検索範囲を拡大し、その他の領域では拡大しないという作用を有する。
【手続補正７】
【補正対象書類名】明細書
【補正対象項目名】００２０
【補正方法】変更
【補正の内容】
【００２０】
請求項３に記載の発明は、符号化画面と参照画面の画面全体としてのずれ量である全体ベクトルを求める全体ベクトル検出手段と、前記全体ベクトルに基づく対応関係を参照画面にもたない符号化画面の領域を特殊領域と判定する特殊領域判定手段と、前記符号化画面内の符号化ブロックの動きベクトルを検索する動きベクトル検索手段と、前記動きベクトル検索手段が求めた動きベクトルによる予測ブロックと符号化ブロックの差分である予測誤差の情報量を評価し評価値を求める動き補償評価手段と、前記評価値をもとに符号化ブロックの符号化方式として前記動きベクトルによる動き補償方式を用いるか他の方式を用いるかを決定する符号化方式決定手段とを備え、前記特殊領域判定手段は特殊領域に属する符号化ブロックに関して前記符号化方式決定手段に指示し、前記動き補償方式を採用する確率を下げるように前記評価値に重みを課すものであり、これにより動き補償による圧縮効率が悪い領域では確実に効率がよいと見込めた符号化ブロックにのみ動き補償方式を採用するという作用を有する。